(57)【要約】【課題】迷光の発生及び光効率の低下を生じさせることなく、被露光面を露光するビームスポットを所望のスポット径に調整する。【解決手段】露光ヘッド１６６には、レンズ系５４，５８によるＤＭＤ５０のマイクロミラーの結像面にマイクロフィールドレンズアレイ７２が配置され、このレンズアレイ７２には、マイクロレンズ７４がＤＭＤ５０における各マイクロミラーと対応するように２次元的に配列されている。第１マイクロレンズ７４の後方焦点位置にはマイクロ結像レンズアレイ７６が配置され、このレンズアレイ７６には、マイクロレンズ７８がレンズアレイ７２における各マイクロレンズ７４と対応するように２次元的に配列されている。露光ヘッド１６６では、第２マイクロレンズ７８により結像された微小サイズのマイクロミラーの実像を、レンズ系８０，８２を介してビームスポットとして露光面５６上へ投影し、露光面５６を露光する。【選択図】　図５
2004062155.tif 000002
【特許請求の範囲】
【請求項１】
露光面を複数本のレーザビームにより２次元的に露光するための露光ヘッドであって、
レーザー出射部からレーザビームを出射する照明手段と、
制御信号に応じて光変調状態がそれぞれ変化する複数の画素部が２次元的に配列され、前記レーザー出射部から入射したレーザビームを前記画素部により露光状態及び非露光状態の何れかに変調する空間光変調素子と、
前記空間光変調素子における各画素部の像をそれぞれ結像する第１光学系と、前記複数の画素部の像位置に、該像位置に形成される像サイズと同一ピッチで２次元的に配列され、前記複数の画素部により前記露光状態に変調されたレーザビームを集光する複数個の第１マイクロレンズと、
前記複数の第１マイクロレンズの後方焦点位置に配置され、前記画素部の実像を前記露光面上にそれぞれ結像する複数の第２マイクロレンズとを有し、
前記第２マイクロレンズにより結像された前記画素部の実像をビームスポットとして前記露光面を露光することを特徴とする露光ヘッド。
【請求項２】
前記複数の第２マイクロレンズによりそれぞれ結像される前記画素部の実像の集合である実像群を前記露光面上に結像する第２光学系を有することを特徴とする請求項１記載の露光ヘッド。
【請求項３】
前記複数の第２マイクロレンズにより前記画素部が結像される実像位置に、前記露光面におけるビームスポットのスポット径及びスポット形状に対応する開口径及び開口形状を有する複数のアパーチャをそれぞれ配置したことを特徴とする請求項１又は２記載の露光ヘッド。
【請求項４】
請求項１、２又は３記載の露光ヘッドと、
前記露光ヘッドを前記複数個の画素部の配列方向が前記露光面に対する走査方向に対して傾くように支持すると共に、前記露光ヘッドを前記露光面に対する露光時に前記走査方向へ相対移動させる移動手段と、
を有することを特徴とする露光装置。
【発明の詳細な説明】
【０００１】
【発明の属する技術分野】
本発明は、画像データに応じて空間光変調素子により空間変調されたレーザビームにより感光材料等における露光面を露光するための露光ヘッド及び、この露光ヘッドを備えた露光装置に関する。
【０００２】
【従来の技術】
従来、デジタル・マイクロミラー・デバイス（ＤＭＤ）等の空間光変調素子を利用して、画像データに応じて変調された光ビームで画像露光を行う露光装置が種々提案されている。
【０００３】
例えば、ＤＭＤとしては、制御信号に応じて反射面の角度が変化する多数のマイクロミラーが、シリコン等の半導体基板上に２次元的に配列されたミラーデバイスが用いられ、このＤＭＤを用いた露光装置は、図１８に示すように、レーザビームを出射する光源１、光源１から出射されたレーザビームをコリメートするレンズ系２、レンズ系２の略焦点位置に配置されたＤＭＤ３、ＤＭＤ３で反射されたレーザビームを露光面５上に結像するレンズ系４、６から構成されている。なお、ＤＭＤ３は反射型の空間光変調素子であるが、なお、図１８では、説明を簡単にするため、レーザビームが偏向されることなくＤＭＤ３から露光面５側へ出射されるように示されている。
【０００４】
この露光装置では、画像データ等に応じて生成した制御信号によって、ＤＭＤ３のマイクロミラーの各々を図示しない制御装置でオンオフ制御してレーザビームを変調（偏向）し、変調されたレーザビームにより露光面を２露光している。ここで、レンズ系４、６は拡大光学系として構成されており、マイクロミラーが配置されたＤＭＤ３の表面部に対して露光面５での露光面積を拡大している。
【０００５】
また、上記のような露光装置では、通常、ＤＭＤにおけるマイクロミラーと露光面５６とが互いに共役とされ、レンズ系４、６によりマイクロミラーによる反射光像が露光面５へ結像され、この反射光像をビームスポットとして露光面５を露光する。
【０００６】
しかし、レンズ系４、６によりＤＭＤ３の表面部の面積に対して露光面５に対する露光エリアの面積を拡大すると、その拡大率に応じて露光面５におけるビームスポットの面積（スポット径）も拡大するため、露光面５におけるＭＴＦ（Ｍｏｄｕｌａｔｉｏｎ　Ｔｒａｎｓｆｅｒ　Ｆｕｎｃｔｉｏｎ）特性が露光面積の拡大率に応じて低下する。
【０００７】
そこで、上記のような露光装置には、図１９に示すように、レンズ系６と露光面５との間に複数のマイクロレンズ７をＤＭＤ３の各マイクロミラーに１対１で対応するように配置し、これらのマイクロレンズ７によりマイクロミラーにより反射されたレーザビームを縮小することで、露光面５におけるスポット径を所望のサイズに調整（縮小）するものがある。
【０００８】
【発明が解決しようとする課題】
しかしながら、上記のような露光装置では、通常、光源１におけるレーザー出射部がある程度の面積を有し点光源と見なせない。このため、図１９に示すように、ＤＭＤ３のマイクロミラーにより反射されたレーザビームも、レーザー出射部の面積に対応する一定の広がり角αｓを有する。この結果、上記のような露光装置では、露光面５上におけるビームスポットのスポット径を縮小するためにマイクロレンズを用いた場合、所定のマイクロミラーにより反射されたレーザビームの一部が、迷光ＳＬとして所定のマイクロミラーに対応するマイクロレンズ７以外のマイクロレンズ７に入射する。このような迷光ＳＬは、多くの場合、マイクロレンズ７を通して露光面５上にゴースト像ＧＩを形成し、露光面５にノイズ成分となる露光部分を生じさせる。
【０００９】
また、上記のような露光装置では、マイクロレンズ７を用いずに、レンズ系６と露光面５との間に所要のビームスポットのスポット径に対応する開口径を有するアパーチャを配置し、このアパーチャにより露光面５上におけるビーム径を縮小することも考えられるが、このようなアパーチャを用いた場合には、レーザビームに対する縮小率が増加するに従ってアパーチャによる光量損失が増加し、光利用効率が著しく低下する。
【００１０】
本発明の目的は、上記事実を考慮して、迷光の発生及び光効率の低下を生じさせることなく、露光面を露光するビームスポットを所望のスポット径に調整できる露光ヘッド及び露光装置を提供することにある。
【００１１】
【課題を解決するための手段】
上記目的を達成するため、本発明に係る請求項１記載の露光ヘッドは、露光面を複数本のレーザビームにより２次元的に露光するための露光ヘッドであって、レーザー出射部からレーザビームを出射する照明手段と、制御信号に応じて光変調状態がそれぞれ変化する複数の画素部が２次元的に配列され、前記レーザー出射部から入射したレーザビームを前記画素部により露光状態及び非露光状態の何れかに変調する空間光変調素子と、前記空間光変調素子における各画素部の像をそれぞれ結像する第１光学系と、前記複数の画素部の像位置に、該像位置に形成される像サイズと同一ピッチで２次元的に配列され、前記複数の画素部により前記露光状態に変調されたレーザビームを集光する複数個の第１マイクロレンズと、
前記複数の第１マイクロレンズの後方焦点位置に配置され、前記画素部の実像を前記露光面上にそれぞれ結像する複数の第２マイクロレンズとを有し、前記第２マイクロレンズにより結像された前記画素部の実像をビームスポットとして前記露光面を露光することを特徴とする。
【００１２】
上記請求項１記載の露光ヘッドでは、複数の第１マイクロレンズが、空間光変調素子における複数の画素部により前記露光状態に変調されたレーザビームを集光すると共に、これらの第１マイクロレンズの後方焦点位置に配置された複数の第２マイクロレンズが、画素部の実像を露光面上にそれぞれ結像することにより、露光状態に変調されたレーザビームを第１マイクロレンズにより集光し、この集光されたレーザビームを第２マイクロレンズへ入射できるので、露光状態に変調されたレーザビームがレーザー出射部の面積に対応する広がり角を有する場合でも、所定の画素部により露光状態に変調されたレーザビームの一部が所定の画素部に対応する第２マイクロレンズ以外の第２マイクロレンズへ迷光として入射することを防止できる。
【００１３】
また請求項１記載の露光ヘッドでは、第２マイクロレンズの焦点距離を適宜設定することで、露光面上にビームスポットとして結像される画素部の実像のサイズを任意のサイズに縮小できるので、第１光学系として拡大光学系を用いて空間光変調素子のサイズに対して露光エリアの面積を拡大した場合でも、露光面におけるＭＴＦ特性の低下を防止できる。
【００１４】
ここで、第１マイクロレンズ及び第２マイクロレンズは、それぞれ単一のレンズにより構成する必要は無く、色収差、球面収差等を改善するため複数のレンズを組み合せて構成するようにしても良い。また空間光変調素子は、レーザビームを非露光状態に変調した際に、必ずしもレーザビームを完全にマイクロレンズに対して遮断する必要は無く、強度が弱められたレーザビームをマイクロレンズに入射させるようにしても良い。
【００１５】
本発明に係る請求項２記載の露光ヘッドは、請求項１記載の露光ヘッドにおいて、前記複数の第２マイクロレンズにより結像される前記画素部の像の集合である実像群を前記露光面上に結像する第２光学系を有することを特徴とする。
【００１６】
本発明に係る請求項３記載の露光ヘッドは、請求項２記載の露光ヘッドにおいて、前記複数の第２マイクロレンズにより前記画素部が結像される実像位置に、前記露光面におけるビームスポットのスポット径及びスポット形状に対応する開口径及び開口形状を有する複数のアパーチャをそれぞれ配置したことを特徴とする。
【００１７】
上記請求項２記載の露光ヘッドによれば、第２マイクロレンズにより前記画素部が結像される実像位置に、露光面におけるビームスポットのスポット径及びスポット形状に対応する開口径及び開口形状を有するアパーチャを配置することにより、第２マイクロレンズから出射されたレーザビームにおける散乱光、回折光等のノイズ成分となる光をアパーチャにより遮断できるので、露光面に投影されるビームスポットを所要のスポット形状に精度良く整形でき、かつビームスポットの外側にノイズ成分となる光が投影されることを防止できる。
【００１８】
本発明に係る請求項３記載の露光装置は、請求項１、２又は３記載の露光ヘッドと、前記露光ヘッドを前記複数個の画素部の配列方向が前記露光面に対する走査方向に対して傾くように支持すると共に、前記露光ヘッドを前記露光面に対する露光時に前記走査方向へ相対移動させる移動手段と、を有することを特徴とする。
【００１９】
上記請求項３記載の露光装置によれば、走査方向に略直交する方向（行方向）に沿ってｊ個の画素部が空間光変調素子に配列され、走査方向に略対応する方向（列方向）に沿ってｋ個の画素部が空間光変調素子に配列されている場合、空間光変調素子の画素部の配列方向が走査方向に対して傾くように露光ヘッドを支持しつつ、露光ヘッドを走査方向へ相対移動させることにより、走査方向に対する画素部の配列方向の傾き角に応じてｊの整数倍、すなわち（ｊ×Ｎ）本のレーザビームにより露光面における同一走査線上のそれぞれ異なる位置を露光できるようになるので、画素部の配列方向の傾き角を適宜調整することで、露光面に形成される露光パターンの画素密度を所要の密度へ増加でき、また同一走査線上の略同一の位置（ドット）を空間光変調素子の同一列に配置されたｋ／Ｎ個の画素部により変調されたレーザビームによりｋ／Ｎ回の露光（多重露光）できるので、露光面に形成される露光パターンの解像度も向上できる。
【００２０】
【発明の実施の形態】
以下、図面を参照して本発明の実施の形態を詳細に説明する。
［露光装置の構成］
本発明の実施の形態に係る露光装置１４２は、図１に示すように、シート状の感光材料１５０を表面に吸着して保持する平板状のステージ１５２を備えている。４本の脚部１５４に支持された肉厚板状の設置台１５６の上面には、ステージ移動方向に沿って延びた２本のガイド１５８が設置されている。ステージ１５２は、その長手方向がステージ移動方向を向くように配置されると共に、ガイド１５８によって往復移動可能に支持されている。なお、この露光装置１４２には、ステージ１５２をガイド１５８に沿って駆動するための図示しない駆動装置が設けられている。
【００２１】
設置台１５６の中央部には、ステージ１５２の移動経路を跨ぐようにコ字状のゲート１６０が設けられている。ゲート１６０の端部の各々は、設置台１５６の両側面に固定されている。このゲート１６０を挟んで一方の側にはスキャナ１６２が設けられ、他方の側には感光材料１５０の先端及び後端を検知する複数（例えば、２個）の検知センサ１６４が設けられている。スキャナ１６２及び検知センサ１６４はゲート１６０に各々取り付けられて、ステージ１５２の移動経路の上方に固定配置されている。なお、スキャナ１６２及び検知センサ１６４は、これらを制御する図示しないコントローラに接続されている。
【００２２】
スキャナ１６２は、図２及び図３（Ｂ）に示すように、ｍ行ｎ列（例えば、３行５列）の略マトリックス状に配列された複数（例えば、１４個）の露光ヘッド１６６を備えている。この例では、感光材料１５０の幅との関係で、３行目には４個の露光ヘッド１６６を配置した。なお、ｍ行目のｎ列目に配列された個々の露光ヘッドを示す場合は、露光ヘッド１６６ｍｎと表記する。
【００２３】
露光ヘッド１６６による露光エリア１６８は、走査方向を短辺とする矩形状である。従って、ステージ１５２の移動に伴い、感光材料１５０には露光ヘッド１６６毎に帯状の露光済み領域１７０が形成される。なお、ｍ行目のｎ列目に配列された個々の露光ヘッドによる露光エリアを示す場合は、露光エリア１６８ｍｎと表記する。
【００２４】
また、図３（Ａ）及び（Ｂ）に示すように、帯状の露光済み領域１７０が走査方向と直交する方向に隙間無く並ぶように、ライン状に配列された各行の露光ヘッドの各々は、配列方向に所定間隔（露光エリアの長辺の自然数倍、本実施の形態では２倍）ずらして配置されている。このため、１行目の露光エリア１６８１１と露光エリア１６８１２との間の露光できない部分は、２行目の露光エリア１６８２１と３行目の露光エリア１６８３１とにより露光することができる。
【００２５】
露光ヘッド１６６１１〜１６６ｍｎ各々は、図４及び図５（Ａ）に示すように、入射された光ビームを画像データに応じて各画素毎に変調する空間光変調素子として、デジタル・マイクロミラー・デバイス（ＤＭＤ）５０を備えている。このＤＭＤ５０は、データ処理部とミラー駆動制御部とを備えた図示しないコントローラに接続されている。このコントローラのデータ処理部では、入力された画像データに基づいて、各露光ヘッド１６６毎にＤＭＤ５０の制御すべき領域内の各マイクロミラーを駆動制御する制御信号を生成する。なお、制御すべき領域については後述する。また、ミラー駆動制御部では、画像データ処理部で生成した制御信号に基づいて、各露光ヘッド１６６毎にＤＭＤ５０における各マイクロミラーの反射面の角度を制御する。なお、この反射面の角度の制御に付いては後述する。
【００２６】
露光ヘッド１６６には、図４に示すように、ＤＭＤ５０の光入射側に照明ユニット１４４が設けられている。この照明ユニット１４４には、光ファイバの出射端部（発光点）が露光エリア１６８の長辺方向と対応する方向に沿って一列に配列されたレーザー出射部を備えたファイバアレイ光源６６、ファイバアレイ光源６６から出射されたレーザ光を補正してＤＭＤ上に集光させるレンズ系６７、レンズ系６７を透過したレーザ光をＤＭＤ５０に向けて反射するミラー６９がこの順に配置されている。
【００２７】
ＤＭＤ５０は、図６に示すように、ＳＲＡＭセル（メモリセル）６０上に、微小ミラー（マイクロミラー）６２が支柱により支持されて配置されたものであり、画素（ピクセル）を構成する多数の（例えば、６００個×８００個）の微小ミラーを格子状に配列して構成されたミラーデバイスである。各ピクセルには、最上部に支柱に支えられたマイクロミラー６２が設けられており、マイクロミラー６２の表面にはアルミニウム等の反射率の高い材料が蒸着されている。このマイクロミラー６２の反射率は９０％以上である。また、マイクロミラー６２の直下には、ヒンジ及びヨークを含む支柱を介して通常の半導体メモリの製造ラインで製造されるシリコンゲートのＣＭＯＳのＳＲＡＭセル６０が配置されており、全体はモノリシック（一体型）に構成されている。
【００２８】
ＤＭＤ５０のＳＲＡＭセル６０にデジタル信号が書き込まれると、支柱に支えられたマイクロミラー６２が、対角線を中心としてＤＭＤ５０が配置された基板側に対して±α度（例えば±１０度）の範囲で傾けられる。図７（Ａ）は、マイクロミラー６２がオン状態である＋α度に傾いた状態を示し、図７（Ｂ）は、マイクロミラー６２がオフ状態である−α度に傾いた状態を示す。従って、画像信号に応じて、ＤＭＤ５０の各ピクセルにおけるマイクロミラー６２の傾きを、図６に示すように制御することによって、ＤＭＤ５０に入射された光はそれぞれのマイクロミラー６２の傾き方向へ反射される。
【００２９】
なお、図６には、ＤＭＤ５０の一部を拡大し、マイクロミラー６２が＋α度又は−α度に制御されている状態の一例を示す。それぞれのマイクロミラー６２のオンオフ制御は、ＤＭＤ５０に接続された図示しないコントローラによって行われる。ここで、オン状態のマイクロミラー６２により反射された光は露光状態に変調され、ＤＭＤ５０の光出射側に設けられた結像光学系１４６（図５参照）へ入射する。またオフ状態のマイクロミラー６２により反射された光は非露光状態に変調され、光吸収体（図示省略）に入射する。
【００３０】
また、ＤＭＤ５０は、その短辺方向が走査方向と所定角度θ（例えば、０．１°〜０．５°）を成すように僅かに傾斜させて配置するのが好ましい。図８（Ａ）はＤＭＤ５０を傾斜させない場合の各マイクロミラーによる反射光像（露光ビーム）５３の走査軌跡を示し、図８（Ｂ）はＤＭＤ５０を傾斜させた場合の露光ビーム５３の走査軌跡を示している。
【００３１】
ＤＭＤ５０には、長手方向（行方向）に沿ってマイクロミラーが多数個（例えば、８００個）配列されたマイクロミラー列が、短手方向に多数組（例えば、６００組）配列されているが、図８（Ｂ）に示すように、ＤＭＤ５０を傾斜させることにより、各マイクロミラーによる露光ビーム５３の走査軌跡（走査線）のピッチＰ１が、ＤＭＤ５０を傾斜させない場合の走査線のピッチＰ２より狭くなり、解像度を大幅に向上させることができる。一方、ＤＭＤ５０の傾斜角は微小であるので、ＤＭＤ５０を傾斜させた場合の走査幅Ｗ２と、ＤＭＤ５０を傾斜させない場合の走査幅Ｗ１とは略同一である。
【００３２】
また、異なるマイクロミラー列により同じ走査線上における略同一の位置（ドット）が重ねて露光（多重露光）されることになる。このように、多重露光されることで、露光位置の微少量をコントロールすることができ、高精細な露光を実現することができる。また、走査方向に配列された複数の露光ヘッド間のつなぎ目を微少量の露光位置制御により段差無くつなぐことができる。
【００３３】
なお、ＤＭＤ５０を傾斜させる代わりに、各マイクロミラー列を走査方向と直交する方向に所定間隔ずらして千鳥状に配置しても、同様の効果を得ることができる。
【００３４】
ファイバアレイ光源６６は、例えば、図９（Ａ）に示すように、複数（例えば、６個）のレーザモジュール６４を備えており、各レーザモジュール６４には、マルチモード光ファイバ３０の一端が結合されている。マルチモード光ファイバ３０の他端には、コア径がマルチモード光ファイバ３０と同一で且つクラッド径がマルチモード光ファイバ３０より小さい光ファイバ３１が結合され、図９（Ｃ）に示すように、光ファイバ３１の出射端部（発光点）が走査方向と直交する方向に沿って１列に配列されてレーザー出射部６８が構成されている。なお、図９（Ｄ）に示すように、発光点を走査方向に直交する方向に沿って２列に配列することもできる。このような光ファイバ３１の出射端部の配列は、後述するように、露光面５６に投影するビームスポットのスポット形状に基づいて決められる。
【００３５】
光ファイバ３１の出射端部は、図９（Ｂ）に示すように、表面が平坦な２枚の支持板６５に挟み込まれて固定されている。また、光ファイバ３１の光出射側には、光ファイバ３１の端面を保護するために、ガラス等の透明な保護板６３が配置されている。保護板６３は、光ファイバ３１の端面と密着させて配置してもよく、光ファイバ３１の端面が密封されるように配置してもよい。光ファイバ３１の出射端部は、光密度が高く集塵し易いため劣化し易いが、保護板６３を配置することにより端面への塵埃の付着を防止することができると共に劣化を遅らせることができる。
【００３６】
図９（Ｂ）の例では、クラッド径が小さい光ファイバ３１の出射端を隙間無く１列に配列するために、クラッド径が大きい部分で隣接する２本のマルチモード光ファイバ３０の間にマルチモード光ファイバ３０を積み重ね、積み重ねられたマルチモード光ファイバ３０に結合された光ファイバ３１の出射端が、クラッド径が大きい部分で隣接する２本のマルチモード光ファイバ３０に結合された光ファイバ３１の出射端の間に挟まれるように配列されている。
【００３７】
このような光ファイバは、例えば、図１０に示すように、クラッド径が大きいマルチモード光ファイバ３０のレーザ光出射側の先端部分に、長さ１〜３０ｃｍのクラッド径が小さい光ファイバ３１を同軸的に結合することにより得ることができる。２本の光ファイバ３０、３１は、光ファイバ３１の入射端面が、マルチモード光ファイバ３０の出射端面に、両光ファイバの中心軸が一致するように融着されて結合されている。上述した通り、光ファイバ３１のコア３１ａの径は、マルチモード光ファイバ３０のコア３０ａの径と同じ大きさである。
【００３８】
また、長さが短くクラッド径が大きい光ファイバにクラッド径が小さい光ファイバを融着させた短尺光ファイバを、フェルールや光コネクタ等を介してマルチモード光ファイバ３０の出射端に結合してもよい。コネクタ等を用いて着脱可能に結合することで、クラッド径が小さい光ファイバが破損した場合等に先端部分の交換が容易になり、露光ヘッドのメンテナンスに要するコストを低減できる。なお、以下では、光ファイバ３１を、マルチモード光ファイバ３０の出射端部と称する場合がある。
【００３９】
マルチモード光ファイバ３０及び光ファイバ３１としては、ステップインデックス型光ファイバ、グレーテッドインデックス型光ファイバ、及び複合型光ファイバの何れでもよい。例えば、三菱電線工業株式会社製のステップインデックス型光ファイバを用いることができる。本実施の形態では、マルチモード光ファイバ３０及び光ファイバ３１は、ステップインデックス型光ファイバであり、マルチモード光ファイバ３０は、クラッド径＝１２５μｍ、コア径＝２５μｍ、ＮＡ＝０．２、入射端面コートの透過率＝９９．５％以上であり、光ファイバ３１は、クラッド径＝６０μｍ、コア径＝２５μｍ、ＮＡ＝０．２である。
【００４０】
一般に、赤外領域のレーザ光では、光ファイバのクラッド径を小さくすると伝搬損失が増加する。このため、レーザ光の波長帯域に応じて好適なクラッド径が決定されている。しかしながら、波長が短いほど伝搬損失は少なくなり、ＧａＮ系半導体レーザから出射された波長４０５ｎｍのレーザ光では、クラッドの厚み｛（クラッド径−コア径）／２｝を８００ｎｍの波長帯域の赤外光を伝搬させる場合の１／２程度、通信用の１．５μｍの波長帯域の赤外光を伝搬させる場合の約１／４にしても、伝搬損失は殆ど増加しない。従って、クラッド径を６０μｍと小さくすることができる。
【００４１】
但し、光ファイバ３１のクラッド径は６０μｍには限定されない。従来のファイバ光源に使用されている光ファイバのクラッド径は１２５μｍであるが、クラッド径が小さくなるほど焦点深度がより深くなるので、マルチモード光ファイバのクラッド径は８０μｍ以下が好ましく、６０μｍ以下がより好ましく、４０μｍ以下が更に好ましい。一方、コア径は少なくとも３〜４μｍ必要であることから、光ファイバ３１のクラッド径は１０μｍ以上が好ましい。
【００４２】
レーザモジュール６４は、図１１に示す合波レーザ光源（ファイバ光源）によって構成されている。この合波レーザ光源は、ヒートブロック１０上に配列固定された複数（例えば、７個）のチップ状の横マルチモード又はシングルモードのＧａＮ系半導体レーザＬＤ１，ＬＤ２，ＬＤ３，ＬＤ４，ＬＤ５，ＬＤ６，及びＬＤ７と、ＧａＮ系半導体レーザＬＤ１〜ＬＤ７の各々に対応して設けられたコリメータレンズ１１，１２，１３，１４，１５，１６，及び１７と、１つの集光レンズ２０と、１本のマルチモード光ファイバ３０と、から構成されている。なお、半導体レーザの個数は７個には限定されない。
【００４３】
ＧａＮ系半導体レーザＬＤ１〜ＬＤ７は、発振波長が総て共通（例えば、４０５ｎｍ）であり、最大出力も総て共通（例えば、マルチモードレーザでは１００ｍＷ、シングルモードレーザでは３０ｍＷ）である。なお、ＧａＮ系半導体レーザＬＤ１〜ＬＤ７としては、３５０ｎｍ〜４５０ｎｍの波長範囲で、上記の４０５ｎｍ以外の発振波長を備えるレーザを用いてもよい。
【００４４】
上記の合波レーザ光源は、図１２及び図１３に示すように、他の光学要素と共に、上方が開口した箱状のパッケージ４０内に収納されている。パッケージ４０は、その開口を閉じるように作成されたパッケージ蓋４１を備えており、脱気処理後に封止ガスを導入し、パッケージ４０の開口をパッケージ蓋４１で閉じることにより、パッケージ４０とパッケージ蓋４１とにより形成される密閉空間内に上記合波レーザ光源が気密封止されている。
【００４５】
パッケージ４０の底面にはベース板４２が固定されており、このベース板４２の上面には、前記ヒートブロック１０と、集光レンズ２０を保持する集光レンズホルダー４５と、マルチモード光ファイバ３０の入射端部を保持するファイバホルダー４６とが取り付けられている。マルチモード光ファイバ３０の出射端部は、パッケージ４０の壁面に形成された開口からパッケージ外に引き出されている。
【００４６】
また、ヒートブロック１０の側面にはコリメータレンズホルダー４４が取り付けられており、コリメータレンズ１１〜１７が保持されている。パッケージ４０の横壁面には開口が形成され、この開口を通してＧａＮ系半導体レーザＬＤ１〜ＬＤ７に駆動電流を供給する配線４７がパッケージ外に引き出されている。
【００４７】
なお、図１３においては、図の煩雑化を避けるために、複数のＧａＮ系半導体レーザのうちＧａＮ系半導体レーザＬＤ７にのみ番号を付し、複数のコリメータレンズのうちコリメータレンズ１７にのみ番号を付している。
【００４８】
図１４は、上記コリメータレンズ１１〜１７及びその取付部を正面から見たものである。コリメータレンズ１１〜１７の各々は、非球面を備えた円形レンズの光軸を含む領域を平行な平面で細長く切り取った形状に形成されている。この細長形状のコリメータレンズは、例えば、樹脂又は光学ガラスをモールド成形することによって形成することができる。コリメータレンズ１１〜１７は、長さ方向がＧａＮ系半導体レーザＬＤ１〜ＬＤ７の発光点の配列方向（図１４の左右方向）と直交するように、上記発光点の配列方向に密接配置されている。
【００４９】
一方、ＧａＮ系半導体レーザＬＤ１〜ＬＤ７としては、発光幅が２μｍの活性層を備え、活性層と平行な方向、直角な方向の拡がり角が各々例えば１０°、３０°の状態で各々レーザビームＢ１〜Ｂ７を発するレーザが用いられている。これらＧａＮ系半導体レーザＬＤ１〜ＬＤ７は、活性層と平行な方向に発光点が１列に並ぶように配設されている。
【００５０】
従って、各発光点から発せられたレーザビームＢ１〜Ｂ７は、上述のように細長形状の各コリメータレンズ１１〜１７に対して、拡がり角度が大きい方向が長さ方向と一致し、拡がり角度が小さい方向が幅方向（長さ方向と直交する方向）と一致する状態で入射することになる。つまり、各コリメータレンズ１１〜１７の幅が１．１ｍｍ、長さが４．６ｍｍであり、それらに入射するレーザビームＢ１〜Ｂ７の水平方向、垂直方向のビーム径は各々０．９ｍｍ、２．６ｍｍである。また、コリメータレンズ１１〜１７の各々は、焦点距離ｆ＝３ｍｍ、ＮＡ＝０．６、レンズ配置ピッチ＝１．２５ｍｍである。
【００５１】
集光レンズ２０は、非球面を備えた円形レンズの光軸を含む領域を平行な平面で細長く切り取って、コリメータレンズ１１〜１７の配列方向、つまり水平方向に長く、それと直角な方向に短い形状に形成されている。この集光レンズ２０は、焦点距離ｆ２＝２３ｍｍ、ＮＡ＝０．２である。この集光レンズ２０も、例えば、樹脂又は光学ガラスをモールド成形することにより形成される。
【００５２】
次に、露光ヘッド１６６におけるＤＭＤ５０の光反射側に設けられた結像光学系１４６について説明する。図５（Ａ）に示されるように、露光ヘッド１６６には、ＤＭＤ５０の光反射側に露光面５６上に光源像を投影するための結像光学系１４６が設けられている。結像光学系１４６には、ＤＭＤ５０の側から露光面５６へ向って順に、一対のレンズ系５４，５８、マイクロフィールドレンズアレイ７２、マイクロ結像レンズアレイ７６、一対のレンズ系８０，８２が配置されている。
【００５３】
ここで、レンズ系５４，５８は拡大光学系として構成されており、ＤＭＤ５０のマイクロミラー６２により反射される光線束の断面積を拡大することで、露光面５６におけるＤＭＤ５０により反射された光線束による露光エリア１６８の面積を所要の大きさに拡大している。マイクロフィールドレンズアレイ７２は、照明ユニット１４４からの光を反射するＤＭＤ５０の各マイクロミラー６２に１対１で対応する複数の第１マイクロレンズ７４が一体的に成形されたものであり、第１マイクロレンズ７４は、レンズ系５４，５８を透過したレーザビームの光軸上におけるマイクロミラー６２の結像面上に配置されており、その直径がマイクロミラー６２の実像の像サイズと略同一径とされている。マイクロフィールドレンズアレイ７６には、各第１マイクロレンズ７４が像位置におけるマイクロミラー６２の像サイズと同一ピッチで２次元的に配列されている。
【００５４】
マイクロ結像レンズアレイ７６には、マイクロフィールドレンズアレイ７２における複数の第１マイクロレンズ７４に１対１で対応する複数のアパーチャ（開口絞り）７８が設けられると共に、各アパーチャ７８の開口内に第２マイクロレンズ７９が配置されている。この第２マイクロレンズ７９のレンズ径はアパーチャ７８の開口径と一致しており、第２マイクロレンズ７９の光軸と第１マイクロレンズ７４の光軸とは一致している。
【００５５】
結像光学系１４６では、レンズ系５４の焦点距離がｆ１とされ、レンズ系５８の焦点距離がｆ２とされている。また第２マイクロレンズ７９の焦点距離はｆ４とされている。マイクロ結像レンズアレイ７２は、第１マイクロレンズ７４の後方焦点位置に配置されている。またレンズ系８０，８２は、例えば、等倍光学系として構成されており、複数個の第２マイクロレンズ７９によりそれぞれ結像されるマイクロミラー６２の実像の集合である実像群を露光面５６上に結像する。ここで、レンズ系８０及びレンズ系８２の焦点距離はｆ５とされている。なお、結像光学系１４６における各レンズ系５４，５８，レンズ系８０，８２は、図５において、それぞれ１枚のレンズとして示されているが、複数枚のレンズ（例えば、凸レンズと凹レンズ）を組み合せたものであっても良い。
【００５６】
結像光学系１４６では、露光面５６に結像されるビームスポットのスポット径及びスポット形状が、露光済み領域１７０に形成される露光パターンの解像度、露光ヘッド１６６の走査速度、ＤＭＤ５０の走査方向に対する傾き角の大きさ、感光材料１５０の特性等の設計事項に応じて決められる。一方、アパーチャ７８の開口径及び開口形状は、露光面５６に結像されるビームスポットのスポット径及びスポット形状に応じて設定される。
【００５７】
図５を参照して、結像光学系１４６における第１マイクロレンズ７４及び第２マイクロレンズ７９の作用を説明する。拡大光学系を構成するレンズ系５４，５８は、ＤＭＤ５０により反射される光線束の断面積を拡大することで、露光面５６における露光エリア１６８の面積を所要の大きさに拡大している。このとき、ＤＭＤ５０のマイクロミラー６２により反射されたレーザビームも、レンズ系５４，５８を透過することで、そのビーム径がレンズ系５４，５８の拡大率に応じて拡大される。このことから、結像光学系１４６にマイクロレンズ７４，７９が配置されていない場合、図５（Ｂ）に示すように、露光面５６に投影される各ビームスポットＢＳのスポット径が露光エリア１６８のサイズに応じて大きなものになる。このため、図８（Ａ）に示すように走査露光しても、露光エリア１６８のＭＴＦ（Ｍｏｄｕｌａｔｉｏｎ　Ｔｒａｎｓｆｅｒ　Ｆｕｎｃｔｉｏｎ）特性がレンズ系５４，５８の拡大率に応じて低下する。
【００５８】
上記のようなＭＴＦ特性の低下を防止すると共に、マイクロミラー６２により露光状態に変調されたレーザビームの一部が迷光になることを防止するため、結像光学系１４６には、レンズ系５４，５８によりマイクロミラー６２の実像が形成される結像面に複数の第１マイクロレンズ７４がＤＭＤ５０の各マイクロミラー６２に１対１で対応するように２次元的に配置され、且つ、これらの第１マイクロレンズ７４の後方焦点位置にそれぞれ複数の第２マイクロレンズ７９が２次元的に配置されている。
【００５９】
ここで、図１５に示すように、第２マイクロレンズ７９は、マイクロミラー６２の実像ＲＩ１を縮小して、露光面５６と等価となる仮想面である結像面８５上に実像ＲＩ２を形成する。これにより、図５（Ｃ）に示すように、露光エリア１６８がレンズ系５４，５８により高倍率で拡大された場合でも、ビームスポットＢＳのスポット径を要求されるサイズに縮小できると共に、露光面５６におけるＭＴＦ特性の低下を防止できる。また第１マイクロレンズ７４は、レーザビームを集光するフィールドレンズとして作用し、レーザー出射部６８の光軸直角方向に沿った面積に応じた広がり角αｓを有する１本のレーザビームを集光し、１個の第２マイクロレンズ７９に入射させる。
【００６０】
次に、第１マイクロレンズ７４の焦点距離ｆ３を設定する方法を具体的に説明する。図１５に示すように、第１マイクロレンズ７４の開口径２Ｒは、レンズ系５８により結像されたマイクロミラー６２の実像ＲＩ１のサイズと一致している。また第１マイクロレンズ７４の後方焦点位置に配置された第２マイクロレンズ７９の開口径を（２Ｒ／ｎ）に設定する。このとき、ｎは第１マイクロレンズ７４の開口径に対する第２マイクロレンズ７９の開口径の縮小率であり、このｎ（ｎ≧１）は、ビームスポットＢＳのスポット径に基づいて決定される。
【００６１】
第１マイクロレンズ７４を透過した全ての光線束が理論的に第２マイクロレンズ７９に、すなわちアパーチャ７８へ入射する条件を考える。このとき、第１マイクロレンズ７４から光源側へ向う光線束の広がり角をαｓとすると、この広がり角αｓは下記（１）式により求められる。
【００６２】
αｓ＝（Ｒ／ｎ）／ｆ３・・・（１）
（１）式からマイクロレンズ７４の焦点距離ｆ３は下記（２）式により求められる。
【００６３】
ｆ３＝（Ｒ／ｎ）／αｓ・・・（２）
第１マイクロレンズ７４の焦点距離ｆ３を上記（２）式による算出値に設定した場合、図１５に示されるように、第１マイクロレンズ７４を透過した光（レーザビーム）は、理論的には、アパーチャ７８により遮られること無く、全量が１個の第２マイクロレンズ７９に入射する。但し、第１マイクロレンズ７４を透過した光には、第１マイクロレンズ７４の収差による回折光、散乱による散乱光等のノイズ成分となる光が含まれ、このようなノイズ成分となる光がアパーチャ７８により遮蔽されるため、実際にはアパーチャ７８により僅かな光量損失が生じる。但し、（２）式により得られる焦点距離ｆ３は、光量損失を最小化するための理論的な最適値である。このため、露光ヘッド１６６では、アパーチャ７８によるビームスポットＢＳの整形性、ノイズ光の除去性等を考慮し、アパーチャ７８及び第２マイクロレンズ７９を第１マイクロレンズ７４の後方焦点位置から微小距離前後へ配置することは許容される。
【００６４】
なお、図１６には、特に縮小率ｎが１とされ、第２マイクロレンズ７９の開口径が第１マイクロレンズ７４の開口径２Ｒに等しい場合を示している。
【００６５】
ここで、結像面８５は、レンズ系８０，８２を介して露光面５６と互いに共役になっている。これにより、露光面５６には、第２マイクロレンズ７９により縮小されたマイクロミラー６２の実像ＲＩ２と同一サイズのマイクロミラー６２の実像が結像する。露光装置１４２では、レンズ系８０，８２により結像されたマイクロミラー６２の実像をビームスポットＢＳとして露光面５６を露光する。
［露光装置の動作］
次に、上記露光装置１４２の動作について説明する。
【００６６】
スキャナ１６２の各露光ヘッド１６６において、ファイバアレイ光源６６の合波レーザ光源を構成するＧａＮ系半導体レーザＬＤ１〜ＬＤ７の各々から発散光状態で出射したレーザビームＢ１，Ｂ２，Ｂ３，Ｂ４，Ｂ５，Ｂ６，及びＢ７の各々は、図１１に示すように、コリメータレンズ１１〜１７によって平行光化される。平行光化されたレーザビームＢ１〜Ｂ７は、集光レンズ２０によって集光され、マルチモード光ファイバ３０のコア３０ａの入射端面に収束する。
【００６７】
本実施形態では、コリメータレンズ１１〜１７及び集光レンズ２０によって集光光学系が構成され、その集光光学系とマルチモード光ファイバ３０とによって合波光学系が構成されている。即ち、集光レンズ２０によって上述のように集光されたレーザビームＢ１〜Ｂ７が、このマルチモード光ファイバ３０のコア３０ａに入射して光ファイバ内を伝搬し、１本のレーザビームＢに合波されてマルチモード光ファイバ３０の出射端部に結合された光ファイバ３１から出射する。
【００６８】
各レーザモジュール６４において、レーザビームＢ１〜Ｂ７のマルチモード光ファイバ３０への結合効率が０．８５で、ＧａＮ系半導体レーザＬＤ１〜ＬＤ７の各出力が３０ｍＷの場合には、図９に示すように、アレイ状に配列された光ファイバ３１の各々について、出力１８０ｍＷ（＝３０ｍＷ×０．８５×７）の合波レーザビームＢを得ることができる。従って、６本の光ファイバ３１がアレイ状に配列されたレーザー出射部６８での出力は約１Ｗ（＝１８０ｍＷ×６）である。
【００６９】
例えば、半導体レーザと光ファイバを１対１で結合させた従来のファイバ光源では、通常、半導体レーザとしては出力３０ｍＷ（ミリワット）程度のレーザが使用され、光ファイバとしてはコア径５０μｍ、クラッド径１２５μｍ、ＮＡ（開口数）０．２のマルチモード光ファイバが使用されているので、約１Ｗ（ワット）の出力を得ようとすれば、マルチモード光ファイバを４８本（８×６）束ねなければならず、発光領域の面積は０．６２ｍｍ２（０．６７５ｍｍ×０．９２５ｍｍ）であるから、レーザー出射部６８での輝度は１．６×１０６（Ｗ／ｍ２）、光ファイバ１本当りの輝度は３．２×１０６（Ｗ／ｍ２）である。
【００７０】
これに対し、本実施の形態では、上述した通り、マルチモード光ファイバ６本で約１Ｗの出力を得ることができ、レーザー出射部６８での発光領域の面積は０．００８１ｍｍ２（０．３２５ｍｍ×０．０２５ｍｍ）であるから、レーザー出射部６８での輝度は１２３×１０６（Ｗ／ｍ２）となり、従来に比べ約８０倍の高輝度化を図ることができる。また、光ファイバ１本当りの輝度は９０×１０６（Ｗ／ｍ２）であり、従来に比べ約２８倍の高輝度化を図ることができる。これにより、ＤＭＤ５０へ入射する光束の角度が小さくなり、結果として露光面５６へ入射する光束の角度も小さくなるので、ビームスポットの焦点深度を深くできる。
【００７１】
露光パターンに応じた画像データが、ＤＭＤ５０に接続された図示しないコントローラに入力され、コントローラ内のフレームメモリに一旦記憶される。この画像データは、画像を構成する各画素の濃度を２値（ドットの記録の有無）で表したデータである。
【００７２】
感光材料１５０を表面に吸着したステージ１５２は、図示しない駆動装置により、ガイド１５８に沿ってゲート１６０の上流側から下流側に一定速度で移動される。ステージ１５２がゲート１６０下を通過する際に、ゲート１６０に取り付けられた検知センサ１６４により感光材料１５０の先端が検出されると、フレームメモリに記憶された画像データが複数ライン分ずつ順次読み出され、データ処理部で読み出された画像データに基づいて各露光ヘッド１６６毎に制御信号が生成される。そして、ミラー駆動制御部により、生成された制御信号に基づいて各露光ヘッド１６６毎にＤＭＤ５０のマイクロミラーの各々がオンオフ制御される。
【００７３】
ファイバアレイ光源６６からＤＭＤ５０にレーザ光が照射されると、ＤＭＤ５０のマイクロミラーがオン状態のときに反射されたレーザ光は、レンズ系５４、５８により感光材料１５０の露光面５６上に結像される。このようにして、ファイバアレイ光源６６から出射されたレーザ光が画素毎にオンオフされて、感光材料１５０がＤＭＤ５０の使用画素数と略同数の画素単位（露光エリア１６８）で露光される。また、感光材料１５０がステージ１５２と共に一定速度で移動されることにより、感光材料１５０がスキャナ１６２によりステージ移動方向と反対の方向に走査され、各露光ヘッド１６６毎に帯状の露光済み領域１７０が形成される。
【００７４】
スキャナ１６２による感光材料１５０の走査が終了し、検知センサ１６４で感光材料１５０の後端が検出されると、ステージ１５２は、図示しない駆動装置により、ガイド１５８に沿ってゲート１６０の最上流側にある原点に復帰し、再度、ガイド１５８に沿ってゲート１６０の上流側から下流側に一定速度で移動される。
【００７５】
以上説明した露光装置１４２では、複数の第１マイクロレンズ７４が、ＤＭＤ５０における各マイクロミラー６２により露光状態に変調されたレーザビームを集光すると共に、これらの第１マイクロレンズ７４の後方焦点位置に配置された複数の第２マイクロレンズ７９が、マイクロミラーの実像を露光面上にそれぞれ結像することにより、露光状態に変調されたレーザビームを第１マイクロレンズ７４により集光し、この集光されたレーザビームを第２マイクロレンズ７９へ入射できるので、露光状態に変調されたレーザビームがレーザー出射部６８の面積に対応する広がり角を有する場合でも、所定のマイクロミラー６２により露光状態に変調されたレーザビームの一部が所定のマイクロミラー６２に対応する第２マイクロレンズ７９以外の第２マイクロレンズ７９へ迷光として入射することを防止できる。
【００７６】
また露光装置１４２では、第２マイクロレンズ７９の焦点距離を所要のビームスポットＢＳのスポット径に応じて適宜設定することで、露光面５６上にビームスポットＢＳとして形成されるマイクロミラー６２の実像のサイズを任意のサイズに縮小できるので、レンズ系５４，５８により露光エリア１６８の面積を拡大した場合でも、露光面５６におけるＭＴＦ特性の低下を防止できる。
【００７７】
なお、本実施形態の露光装置１４２では、第１マイクロレンズ７４及び第２マイクロレンズ７９がそれぞれ単一のレンズにより構成されていたが、第１マイクロレンズ７４及び第２マイクロレンズ７９の一方又は双方をそれぞれ複数のレンズ（マイクロレンズ）を組み合せて構成するようにしても良い。このようにマイクロレンズ７４，７９を複数のレンズ（マイクロレンズ）を組み合することにより、色収差、球面収差等を効果的に改善できるようになる。
【００７８】
また、図１７に示すように、第２マイクロレンズの後方焦点位置付近に、露光面５６におけるビームスポットＢＳのスポット径及びスポット形状に対応するアパーチャ８８が設けられたアパーチャアレイ８６を配置するようにしても良い。このように第２マイクロレンズ７９の後方焦点位置付近に、露光面５６におけるビームスポットＢＳのスポット径及びスポット形状に対応する開口径及び開口形状を有するアパーチャ８８を配置することにより、第２マイクロレンズ７９から出射されたレーザビームにおける散乱光、回折光等のノイズ成分となる光をアパーチャ８８により遮断できるので、露光面５６に投影されるビームスポットＢＳを所要のスポット形状に精度良く整形でき、かつビームスポットＢＳの外側にノイズ成分となる光が投影されることを防止できる。
【００７９】
また、露光ヘッド１６６から露光面５６までのクリアランスが十分に短い場合には、図２０に示すように、レンズ系８０，８２（第２光学系）を結像光学系１４６から省略し、マイクロ結像レンズアレイ８６の第２マイクロレンズ７８により結像されたＤＭＤ５０の各マイクロミラー６２の実像をビームスポットＢＳとして直接、露光面５６上に投影して感光材料１５０を露光するようにしても良い。
【００８０】
また、本実施形態に係る露光装置１４２では、空間変調素子としてＤＭＤを用いたが、例えば、ＭＥＭＳ（Ｍｉｃｒｏ　Ｅｌｅｃｔｒｏ　Ｍｅｃｈａｎｉｃａｌ　Ｓｙｓｔｅｍｓ）タイプの空間変調素子（ＳＬＭ；Ｓｐａｃｉａｌ　Ｌｉｇｈｔ　Ｍｏｄｕｌａｔｏｒ）や、電気光学効果により透過光を変調する光学素子（ＰＬＺＴ素子）や液晶光シャッタ（ＦＬＣ）等、ＭＥＭＳタイプ以外の空間変調素子をＤＭＤ５０に代えて用いた場合にも、結像光学系１４６として図５又は図１９に示すものを用いれば、アパーチャ７８による光量損失を抑制しつつ、露光エリア１６８におけるＭＴＦ特性下の低下を防止できる。
【００８１】
なお、ＭＥＭＳとは、ＩＣ製造プロセスを基盤としたマイクロマシニング技術によるマイクロサイズのセンサ、アクチュエータ、そして制御回路を集積化した微細システムの総称であり、ＭＥＭＳタイプの空間変調素子とは、静電気力を利用した電気機械動作により駆動される空間変調素子を意味している。
【００８２】
【発明の効果】
以上説明したように、本発明の露光ヘッド及び露光装置によれば、迷光の発生及び光効率の低下を生じさせることなく、露光面を露光するビームスポットを所望のスポット径に調整できる。
【図面の簡単な説明】
【図１】第１の実施の形態に係る露光装置の外観を示す斜視図である。
【図２】第１の実施の形態に係る露光装置のスキャナの構成を示す斜視図である。
【図３】（Ａ）は感光材料に形成される露光済み領域を示す平面図であり、（Ｂ）は各露光ヘッドによる露光エリアの配列を示す図である。
【図４】本発明の実施の形態に係る露光装置の露光ヘッドの概略構成を示す斜視図である。
【図５】（Ａ）は図４に示す露光ヘッドにおける結像光学系の構成を示す側面図、（Ｂ）及び（Ｃ）は露光ヘッドによる露光エリアの平面図である。
【図６】デジタルマイクロミラーデバイス（ＤＭＤ）の構成を示す部分拡大図である。
【図７】（Ａ）及び（Ｂ）はＤＭＤの動作を説明するための説明図である。
【図８】（Ａ）及び（Ｂ）は、ＤＭＤを傾斜配置しない場合と傾斜配置する場合とで、露光ビームの配置及び走査線を比較して示す平面図である。
【図９】（Ａ）はファイバアレイ光源の構成を示す斜視図であり、（Ｂ）は（Ａの部分拡大図であり、（Ｃ）及び（Ｄ）はレーザー出射部における発光点の配列を示す平面図である。
【図１０】マルチモード光ファイバの構成を示す図である。
【図１１】合波レーザ光源の構成を示す平面図である。
【図１２】レーザモジュールの構成を示す平面図である。
【図１３】図１２に示すレーザモジュールの構成を示す側面図である。
【図１４】図１２に示すレーザモジュールの構成を示す部分側面図である。
【図１５】図５に示す露光ヘッドにおける第１マイクロレンズ及び第２マイクロレンズの側面図であり、第２マイクロレンズの開口径を第１マイクロレンズよりも小さくした構成例を示している。
【図１６】図５に示す露光ヘッドにおける第１マイクロレンズ及び第２マイクロレンズの側面図であり、第１マイクロレンズと第２マイクロレンズの開口径を等しくした構成例を示している。
【図１７】図５に示す第２マイクロレンズの後方焦点位置にアパーチャを追加した場合の露光ヘッドの構成を示す側面図である。
【図１８】従来の露光ヘッドの構成を示す光軸に沿った側面図である。
【図１９】従来の露光ヘッドにマイクロレンズを適用した構成を示す側面図である。
【図２０】図５に示す結像光学系から第２レンズ系を省略した場合の構成を示す側面図である。
【符号の説明】
５０　　　ＤＭＤ（空間光変調素子）
５４，５８　　レンズ系（第１光学系）
５６　　　露光面
６２　　　マイクロミラー（画素部）
６８　　　レーザー出射部
７２　　　マイクロレンズアレイ
７４　　　第１マイクロレンズ
７６　　　アパーチャアレイ
７８　　　アパーチャ
７９　　　第２マイクロレンズ
８０，８２　　レンズ系（第２光学系）
８６　　　アパーチャアレイ
８８　　　アパーチャ
１４２　　露光装置
１４４　　照明ユニット（照明手段）
１４６　　結像光学系
１６６　　露光ヘッド
【図１】
2004062155.tif 000003
【図２】
2004062155.tif 000004
【図３】
2004062155.tif 000005
【図４】
2004062155.tif 000006
【図５】
2004062155.tif 000007
【図６】
2004062155.tif 000008
【図７】
2004062155.tif 000009
【図８】
2004062155.tif 000010
【図９】
2004062155.tif 000011
【図１０】
2004062155.tif 000012
【図１１】
2004062155.tif 000013
【図１２】
2004062155.tif 000014
【図１３】
2004062155.tif 000015
【図１４】
2004062155.tif 000016
【図１５】
2004062155.tif 000017
【図１６】
2004062155.tif 000018
【図１７】
2004062155.tif 000019
【図１８】
2004062155.tif 000020
【図１９】
2004062155.tif 000021
【図２０】
2004062155.tif 000022